(57)【要約】【課題】画像処理装置の利用者の属性別に、画像処理装置を利用するときに発生する障害の傾向を割り出すことができる情報管理装置、及びプログラムを提供すること。【解決手段】1又は複数の画像処理装置のそれぞれから、該画像処理装置で発生した障害を表す障害情報と、該障害が発生した際に該画像処理装置を利用していた利用者が有する属性を表す属性情報と、を受信し、前記各画像処理装置から受信される前記障害情報と前記属性情報とに基づき、属性ごとに、該属性を有する利用者が前記画像処理装置を利用した際に発生した障害の発生頻度を関連付けて記憶する。【選択図】図１
2008176454.tif 000002
【特許請求の範囲】
【請求項１】
１又は複数の画像処理装置のそれぞれから、該画像処理装置で発生した障害を表す障害情報と、該障害が発生した際に該画像処理装置を利用していた利用者が有する属性を表す属性情報と、を受信する受信手段と、
前記受信手段により前記各画像処理装置から受信される前記障害情報と前記属性情報とに基づき、属性ごとに、該属性を有する利用者が前記画像処理装置を利用した際に発生した障害の発生頻度を関連付けて記憶する発生頻度記憶手段と、
を含むことを特徴とする情報管理装置。
【請求項２】
前記発生頻度記憶手段に記憶される障害の発生頻度に基づいて、属性ごとに、画像処理装置に対して行う保守作業の指示情報を生成する指示情報生成手段、をさらに含む
ことを特徴とする請求項１に記載の情報管理装置。
【請求項３】
前記指示情報生成手段は、前記発生頻度記憶手段に記憶される障害の発生頻度と所定の閾値との比較結果に応じて、属性ごとに、前記指示情報を生成する、
ことを特徴とする請求項２に記載の情報管理装置。
【請求項４】
前記発生頻度記憶手段に記憶される障害の発生頻度に基づいて、属性ごとに、画像処理装置を制御する制御パラメータの値を決定する決定手段、をさらに含む
ことを特徴とする請求項１乃至３のいずれかに記載の情報管理装置。
【請求項５】
前記決定手段は、前記発生頻度記憶手段に記憶される障害の発生頻度と所定の閾値との比較結果に応じて、属性ごとに、前記制御パラメータの値を決定する、
ことを特徴とする請求項４に記載の情報管理装置。
【請求項６】
請求項４又は５に記載の情報管理装置と通信可能に接続され、
前記情報管理装置から、所与の属性について決定された前記制御パラメータの値を取得するパラメータ値取得手段と、
前記パラメータ値取得手段により取得された制御パラメータの値を設定する設定手段と、
を含むことを特徴とする画像処理装置。
【請求項７】
利用者を認証して、画像処理を実行する処理実行手段と、
認証した利用者の属性を特定する属性特定手段と、
属性ごとに、前記処理実行手段が該属性を有する利用者を認証して画像処理を実行した回数を計数する計数手段と、をさらに含み、
前記パラメータ値取得手段は、前記画像処理の実行回数の総数が所定数以上である場合に、前記回数が最も大きい属性について決定された前記制御パラメータの値を取得する、
ことを特徴とする請求項６に記載の画像処理装置。
【請求項８】
１又は複数の画像処理装置のそれぞれから、該画像処理装置で発生した障害を表す障害情報と、該障害が発生した際に該画像処理装置を利用していた利用者が有する属性を表す属性情報と、を受信する受信手段、
前記受信手段により前記各画像処理装置から受信される前記障害情報と前記属性情報とに基づき、属性ごとに、該属性を有する利用者が前記画像処理装置を利用した際に発生した障害の発生頻度を関連付けて記憶する発生頻度記憶手段、
としてコンピュータを機能させることを特徴とするプログラム。
【発明の詳細な説明】
【技術分野】
【０００１】
本発明は、情報管理装置、画像処理装置及びプログラムに関する。
【背景技術】
【０００２】
複数の画像処理装置を、これらに接続された情報処理装置を用いて管理するシステムがある。例えば、下記特許文献１には、各画像処理装置から送信される情報を解析して、これらの画像処理装置で発生する障害の予知を行ったり、画像処理装置における障害の発生をエンジニアに通報したりする情報処理装置を含むシステムが開示されている。
【特許文献１】特開平１１−２０２６９９号公報
【発明の開示】
【発明が解決しようとする課題】
【０００３】
本発明の目的は、画像処理装置の利用者の属性別に、画像処理装置を利用するときに発生する障害の傾向を割り出すことができる情報管理装置、及びプログラムを提供することにある。
【課題を解決するための手段】
【０００４】
本発明の一態様に係る情報管理装置は、1又は複数の画像処理装置のそれぞれから、該画像処理装置で発生した障害を表す障害情報と、該障害が発生した際に該画像処理装置を利用していた利用者が有する属性を表す属性情報と、を受信する受信手段と、前記受信手段により前記各画像処理装置から受信される前記障害情報と前記属性情報とに基づき、属性ごとに、該属性を有する利用者が前記画像処理装置を利用した際に発生した障害の発生頻度を関連付けて記憶する発生頻度記憶手段と、を含むことを特徴とする。
【０００５】
ここで、上記情報管理装置は、前記発生頻度記憶手段に記憶される障害の発生頻度に基づいて、属性ごとに、画像処理装置に対して行う保守作業の指示情報を生成するようにしてもよいし、前記発生頻度記憶手段に記憶される障害の発生頻度と所定の閾値との比較結果に応じて、属性ごとに、前記指示情報を生成するようにしてもよい。
【０００６】
また、上記情報管理装置は、前記発生頻度記憶手段に記憶される障害の発生頻度に基づいて、属性ごとに、画像処理装置を制御する制御パラメータの値を決定するようにしてもよいし、前記発生頻度記憶手段に記憶される障害の発生頻度と所定の閾値との比較結果に応じて、属性ごとに、前記制御パラメータの値を決定するようにしてもよい。
【０００７】
本発明の一態様に係る画像処理装置は、上記情報管理装置に通信可能に接続され、前記情報管理装置から、所与の属性について決定された前記制御パラメータの値を取得するパラメータ値取得手段と、前記パラメータ値取得手段により取得された制御パラメータの値を設定する設定手段と、を含むことを特徴とする。
【０００８】
ここで、上記画像処理装置は、利用者を認証して、画像処理を実行する処理実行手段と、認証した利用者の属性を特定する属性特定手段と、属性ごとに、前記処理実行手段が該属性を有する利用者を認証して画像処理を実行した回数を計数する計数手段と、をさらに含み、前記パラメータ値取得手段は、前記画像処理の実行回数の総数が所定数以上である場合に、前記回数が最も大きい属性について決定された前記制御パラメータの値を取得するようにしてもよい。
【０００９】
また、本発明の別の態様に係るプログラムは、1又は複数の画像処理装置のそれぞれから、該画像処理装置で発生した障害を表す障害情報と、該障害が発生した際に該画像処理装置を利用していた利用者が有する属性を表す属性情報と、を受信する受信手段、前記受信手段により前記各画像処理装置から受信される前記障害情報と前記属性情報とに基づき、属性ごとに、該属性を有する利用者が前記画像処理装置を利用した際に発生した障害の発生頻度を関連付けて記憶する発生頻度記憶手段、としてコンピュータを機能させることを特徴とする。
【発明の効果】
【００１０】
請求項１の発明によれば、画像処理装置の利用者の属性別に、画像処理装置を利用するときに発生する障害の傾向を割り出すことができる。
【００１１】
請求項２の発明によれば、画像処理装置の利用者の属性に応じた画像処理装置の保守を行うことができる。
【００１２】
請求項３の発明によれば、本構成を有していない場合に比較して、画像処理装置の利用者の属性に応じた画像処理装置の保守を適切に行うことができる。
【００１３】
請求項４の発明によれば、画像処理装置の利用者の属性に応じて画像処理装置における障害の発生を抑制することができる。
【００１４】
請求項５の発明によれば、本構成を有していない場合に比較して、画像処理装置の利用者の属性に応じて画像処理装置における障害の発生を確実に抑制することができる。
【００１５】
請求項６の発明によれば、画像処理装置自身が、障害の発生を抑制するような制御パラメータの値を設定することができる。
【００１６】
請求項７の発明によれば、画像処理装置の主だった利用者の属性に応じた制御パラメータの値を設定することができる。
【００１７】
請求項８の発明によれば、画像処理装置の利用者の属性別に、画像処理装置を利用するときに発生する障害の傾向を割り出すことができる。
【発明を実施するための最良の形態】
【００１８】
本発明の実施の形態について図面を参照しながら説明する。図１は本発明の実施の形態に係る画像処理装置管理システム１００の構成図である。この画像処理装置管理システム１００は、少なくとも１つの画像処理装置２と、情報管理装置４と、情報端末６とを含んで構成され、各装置はネットワークを介して通信可能に接続されている。ここで、各画像処理装置２は同機種であってもよいし、それぞれ異なる機種であってもよい。
【００１９】
次に、画像処理装置管理システム１００を構成する各装置について具体的に説明する。
【００２０】
画像処理装置２は、それぞれ、利用者認証機能や、障害の発生を検知して障害種別や障害箇所を特定する障害特定機能を備えたプリンタである。そして、画像処理装置２は、それぞれ、特定の職種の利用者に主に利用されるものである。例えば、図１における画像処理装置２ａはデザイン会社に設置され、主にデザイナーにより利用される。また、画像処理装置２ｂは、大学に設置され、主に学生により利用される。
【００２１】
図２は、画像処理装置２の構成図である。同図に示すように、画像処理装置２は、制御部２２と、記憶部２４と、画像処理部２６と、ストレージ部２８と、入力部３０と、通信部３２と、を含んで構成され、その動作は、記憶部２４に格納されるプログラムによって制御される。以下、上記各部について説明する。
【００２２】
制御部２２は、ＣＰＵ等であり、記憶部２４に格納されているプログラムに従って動作する。制御部２２が実行する処理については、後に具体的に説明する。
【００２３】
記憶部２４は、ＲＡＭやＲＯＭ等であり、制御部２２によって実行されるプログラムを格納している。また、記憶部２４は、制御部２２の処理の実行に必要となる種々の情報を保持するワークメモリとしても用いられる。
【００２４】
画像処理部２６は、印刷ユニットを中心として構成され、制御部２２から出力される情報に基づいて、画像処理を実行するものである。具体的には、制御部２２から印刷指示を受付けると、印刷ユニットにより印刷指示に基づく画像を記録用紙上に形成出力する。
【００２５】
ストレージ部２８は、ハードディスク等であり、各種情報を記憶するものである。本実施の形態では、各種制御パラメータのパラメータ値やユーザプロファイル情報が記憶されている。制御パラメータとは、画像処理装置２の制御に関係するパラメータである。例えば、印刷ユニットを構成する紙詰まりセンサの電圧パラメータ、印刷ユニットを構成するヒートローラの温度パラメータ、節電運用に移行するのに必要な無利用状態の継続時間パラメータ等である。また、ユーザプロファイル情報とは、画像処理装置２に登録されている各利用者の情報、すなわち、利用者のＩＤ、氏名、職種、勤務先業種、居住地等の情報を含む利用者の属性情報である。
【００２６】
入力部３０は、例えば、画像処理装置２の側面に設けられたタッチパネルや、ＩＣカードリーダである。入力部３０は、入力された情報を制御部２２に出力する。
【００２７】
通信部３２は、ネットワークインターフェイスであり、ネットワークから各種情報を受信して制御部２２に出力する。また、通信部３２は、制御部２２から出力された情報をネットワークに発信する。
【００２８】
次に、情報管理装置４について説明する。情報管理装置４は、例えば、各画像処理装置２とは別拠点に設置されたサーバであり、各画像処理装置２から受信する情報を記憶して管理するものである。図３は、情報管理装置４の構成図である。同図に示すように、情報管理装置４は、制御部４２と、記憶部４４と、ストレージ部４６と、通信部４８とを含んで構成されている。
【００２９】
以下、各部について具体的に説明する。制御部４２は、ＣＰＵ等であり、記憶部４４に格納されているプログラムに従って動作する。制御部４２が実行する処理については、後に具体的に説明する。
【００３０】
記憶部４４は、ＲＡＭやＲＯＭ等であり、制御部４２によって実行されるプログラムを格納している。また、記憶部４４は、制御部４２の処理の実行に必要となる種々の情報を保持するワークメモリとしても用いられる。
【００３１】
ストレージ部４６は、ハードディスク等であり、各種情報を記憶するものである。本実施の形態では、ストレージ部４６には、図４に示す障害テーブルが記憶される。この障害テーブルには、同図に示すように、職種ごとに、該職種の利用者が画像処理装置２を利用した際に障害が発生した回数（以下、障害発生回数）が障害箇所ごとに記憶される。具体的には、障害テーブルには、職種と障害箇所との組み合わせの一つ一つについて障害発生回数が記憶される。例えば、同図を参照すれば、デザイナーが画像処理装置２を利用した際に原稿送りで１２０回障害が発生したことがわかる。なお、障害テーブルには、職種ごとに、該職種の利用者が画像処理装置２を利用した際に発生した障害の合計回数も記憶される。例えば、同図を参照すれば、デザイナーが画像処理装置２を利用した際に２０００回障害が発生したことがわかる。
【００３２】
通信部４８は、ネットワークインターフェイスであり、ネットワークから各種情報を受信して制御部４２に出力する。また、制御部４２から出力された情報をネットワークに発信する。
【００３３】
情報端末６は、画像処理装置２の設置作業や画像処理装置２の保守作業を行うエンジニアに利用される情報端末である。本実施の形態では、情報端末６は、情報管理装置４にアクセスし、情報管理装置４が記憶している情報を取得するために用いられる。以上が、画像処理装置管理システム１００を構成する各装置の内容である。
【００３４】
次に、画像処理装置２及び情報管理装置４の制御部が行う処理について、画像処理装置管理システム１００の実際の利用態様の一例を想定して説明する。
【００３５】
画像処理装置２が利用される場合に制御部２２が実行する処理について図５のフローチャート図を参照しながら説明する。画像処理装置２が利用される場合、制御部２２は、入力部３０から出力される情報を受付けて、利用者の認証を行う（Ｓ１０１）。具体的には、利用者のＩＣカードから読込んだ情報に含まれる利用者のＩＤが、ストレージ部２８に記憶されるいずれかのユーザプロファイル情報に含まれていることを確認する。そして、利用者の認証が完了すると、制御部２２は、利用者がタッチパネルを用いて指示した画像処理を画像処理部２６に実行させる（Ｓ１０２）。
【００３６】
制御部２２は、画像処理部２６からの電気信号に基づいて障害が発生したか否かを監視しており、障害の発生を検知した場合（Ｓ１０３のＹＥＳ）、障害箇所を特定する。そして、特定された障害箇所を表す障害情報を、利用者の職種を表す職種情報とともに情報管理装置４に送信する（Ｓ１０４）。以上が、障害情報送信処理の内容である。なお、障害が発生した場合に、必ずしもこれらの情報を情報管理装置４に送信するようにしなくてもよい。例えば、所定の利用者の利用時に発生した場合にのみ、これらの情報を情報管理装置４に送信するようにしてもよい。また、例えば、利用者の承認が得られた場合にのみ、これらの情報を送信するようにしてもよい。
【００３７】
そして、情報管理装置４は、画像処理装置２から送信される障害情報と職種情報とを受信し、図６のフローチャート図に示す処理を実行する。すなわち、制御部４２は、通信部４８が受信した障害情報及び職種情報の入力を受け付けると（Ｓ２０１）、該職種情報が表す職種と該障害情報が表す障害箇所と、を特定する（Ｓ２０２）。そして、制御部４２は、Ｓ２０２のステップで特定された職種と障害箇所とに対応する障害発生回数を１だけインクリメントすることにより障害テーブルを更新する（Ｓ２０３）。なお、制御部４２は、Ｓ２０３のステップにおいて、Ｓ２０２のステップで特定された職種に対応する合計回数もインクリメントする。こうして、情報管理装置４は、図６の処理を実行することにより、各画像処理装置２から障害情報を受信するごとに、障害テーブルの内容を更新する。
【００３８】
そして、情報管理装置４の制御部４２は、障害テーブルの内容に基づき、職種ごとに、該職種の利用者が画像処理装置２を利用した際に発生した障害の合計回数に対する各障害箇所の障害発生回数の比率（障害発生比）を算出し、図７に示す障害発生比テーブルに記憶する。具体的には、図８のフローチャート図に示す処理を、例えば定期的に実行する。
【００３９】
すなわち、制御部４２は、障害テーブルを参照し、１つの職種（以下、注目職種）を選択する（Ｓ３０１）。そして、制御部４２は、障害テーブルを参照し、注目職種に対応する合計回数を取得する（Ｓ３０２）。そして、制御部４２は、障害テーブルを参照し、１の障害箇所（以下、注目箇所）を選択する（Ｓ３０３）。そして、制御部４２は、注目職種と注目箇所に対応する障害発生回数を、Ｓ３０２のステップで取得した合計回数で除算する（Ｓ３０４）。そして、Ｓ３０４のステップで除算した値を、注目職種と注目箇所とに対応する障害発生比として、図８に示す障害発生比テーブルに記憶する（Ｓ３０５）。例えば、Ｓ３０１のステップで「デザイナー」が選択された場合、制御部４２はデザイナーに対応する合計回数（２０００回）を取得する。そして、Ｓ３０３のステップにおいて「原稿送り」が選択された場合、制御部４２は、「デザイナー」と「原稿送り」とに対応する障害発生回数（１２０回）を職種別合計回数（２０００回）で除算した値（０．０６）を、「デザイナー」と「原稿送り」とに対応する障害発生比として障害発生比テーブルに記憶する。
【００４０】
そして、Ｓ３０５のステップが完了すると、制御部４２は、すべての障害箇所についてＳ３０４乃至Ｓ３０５のステップを実行したか否かを判断する（Ｓ３０６）。そして、Ｓ３０６のステップにおいて、少なくとも１つの障害箇所についてＳ３０４乃至Ｓ３０５のステップを実行していないと判断した場合は（Ｓ３０６のＮＯ）、Ｓ３０４乃至Ｓ３０５のステップが未だ実行されていない１つの障害箇所を選択し、Ｓ３０４以降のステップを続行する。
【００４１】
一方、Ｓ３０６のステップにおいて、すべての障害箇所についてＳ３０４乃至Ｓ３０５のステップを実行したと判断した場合（Ｓ３０６のＹＥＳ）、制御部４２は、すべての職種についてＳ３０２乃至Ｓ３０６のステップを実行したか否かを判断する（Ｓ３０７）。そして、Ｓ３０７のステップにおいて、少なくとも１つの職種についてＳ３０２乃至Ｓ３０６のステップを実行していないと判断した場合（Ｓ３０７のＮＯ）、制御部４２は、Ｓ３０２乃至Ｓ３０６のステップが未だ実行されていない１つの職種を選択し、Ｓ３０２以降のステップを続行する。
【００４２】
一方、Ｓ３０７のステップにおいて、すべての職種についてＳ３０２乃至Ｓ３０６のステップを実行したと判断した場合（Ｓ３０７のＹＥＳ）、制御部４２は、障害発生比テーブルを参照し、障害箇所ごとに、該障害箇所に係るすべての障害発生比の総和を職種の数で除算してなる平均障害発生比を関連付けて障害発生比テーブルに記憶する（Ｓ３０８）。以上が図８に示すフローチャート図の内容である。
【００４３】
エンジニアは、情報端末６を用いて情報管理装置４にアクセスして障害発生比テーブルの内容を取得することにより、平均障害発生比に対する障害発生比の比率（障害発生指数）を障害箇所別にプロットしたグラフ（図９）を情報端末６の表示部に表示させる。そして、障害発生指数が、１より大きいか否かを確認することにより、各障害箇所で障害が発生しやすい利用者の職種を把握する。例えば、図９をみれば、原稿送りに障害が発生しやすいのは学生で、ドラムに障害が発生しやすいのはデザイナーであることがわかる。
【００４４】
なお、情報管理装置４は、障害発生比テーブルの内容に基づいて、職種ごとに画像処理装置２に対して行う保守作業の指示情報を生成し、記憶しておくこともできる。具体的には、情報管理装置４は、ストレージ部４６に図１０に示す保守テーブルを記憶しておき、この保守テーブルを障害発生比テーブルの内容に基づいて更新する処理（保守テーブル更新処理）を実行する。保守テーブルとは、職種ごとに、画像処理装置２に対して行う保守作業の指示情報を関連付けて記憶するものである。具体的には、保守テーブルは、職種ごとに、予め定められた各保守項目の実行間隔を関連付けて記憶する。以下、保守テーブル更新処理の一例について、図１１に示すフローチャート図を参照しながら説明する。
【００４５】
保守テーブル更新処理では、制御部４２は、保守テーブルを参照し、１つの職種（以下、注目職種）を選択する（Ｓ４０１）。
【００４６】
そして、制御部４２は、図１２のフローチャート図に示す処理を実行し、注目職種に対応する各保守項目の実行間隔を決定する（Ｓ４０２）。
【００４７】
すなわち、制御部４２は、１つの保守項目（以下、注目項目）を選択し（Ｓ５０１）、該注目項目の実行間隔を決定するために着目する障害箇所を特定する（Ｓ５０２）。例えば、制御部４２は、各保守項目とその保守項目の実行間隔を決定するために着目する障害箇所とを関連付けて記憶する所定のテーブルを参照することにより特定する。
【００４８】
そして、制御部４２は、注目職種に対応する注目項目の実効間隔を決定する（Ｓ５０３）。
【００４９】
具体的には、制御部４２は、障害発生比テーブルを参照し、注目職種とＳ５０２のステップで特定された障害箇所とに対応する障害発生比を取得する。また、制御部４２は、Ｓ５０２のステップで特定された障害箇所に対応する平均障害発生比を取得する。そして、制御部４２は、注目職種の利用者がＳ５０２のステップで特定された障害箇所に障害を発生させやすい場合、すなわち、該障害発生比を該平均障害発生比で除算してなる障害発生指数が１より大きい場合、注目項目のデフォルト実行間隔よりも短くなるように、注目職種に対応する注目項目の実行間隔を決定する。例えば、注目項目のデフォルト実行間隔を所定間隔だけ短縮した実行間隔を、注目職種に対応する注目項目の実行間隔としてもよいし、デフォルト実行間隔に障害発生指数の逆数を乗算してなる実行間隔を、注目職種に対応する注目項目の実行間隔としてもよい。一方、障害発生指数が１以下である場合には、注目項目のデフォルトの実行間隔を、注目職種に対応する注目項目の実行間隔として決定する。
【００５０】
例えば、注目職種「学生」に対応する注目項目「原稿送り清掃」の実行間隔を決定する場合において、「原稿送り清掃」の実行間隔を決定するために着目する障害箇所として「原稿送り」が特定されたものとする。この場合、制御部４２は、「学生」と「原稿送り」に対応する障害発生比（０．１）を取得する。また、制御部４２は、「原稿送り」に対応する平均障害発生比（０．０９）を取得する。すると障害発生指数が１より大きいので（０．１÷０．０９＞１）、制御部４２は、「原稿送り清掃」に対応するデフォルト実行間隔（４ヶ月）から所定間隔（１ヶ月）だけ短縮した実行間隔（３ヶ月）を、注目職種「学生」に対応する注目項目「原稿送り清掃」の実行間隔として決定する。
【００５１】
Ｓ５０３のステップが完了すると、制御部４２は、注目職種に対応するすべての保守項目の実行間隔が決定されたか否かを判断する（Ｓ５０４）。そして、注目職種に対応するすべての保守項目の実行間隔が決定された場合（Ｓ５０４のＹＥＳ）、制御部４２は、処理を終了する。一方、注目職種に対応する少なくとも１つの保守項目の実行間隔が決定されていない場合（Ｓ５０４のＮＯ）、制御部４２は、未だ実行間隔が決定されていない１つの保守項目を選択し、Ｓ５０２のステップに戻る。以上のようにして、注目職種に対応する各保守項目の実行間隔を決定する。
【００５２】
注目職種に対応する各保守項目の実行間隔が決定されると、制御部４２は、保守テーブルに設定されているすべての職種について各保守項目の実行間隔が決定されたか否かを判断する（Ｓ４０３）。そして、制御部４２は、すべての職種について各保守項目の実行間隔が決定された場合（Ｓ４０３のＹＥＳ）、決定された実行間隔で保守テーブルを更新する（Ｓ４０４）。一方、各保守項目の実行間隔が少なくとも１つの職種について決定されていない場合（Ｓ４０３のＮＯ）、制御部４２は、未だ各保守項目の実行間隔が決定されていない１つの職種を選択し、Ｓ４０２のステップに戻る。以上が、保守テーブル更新処理の内容である。この保守テーブル更新処理はいつ実行されるようにしてもよいが、図８のフローチャート図の処理の直後に実行されるのが好適である。
【００５３】
以上のように、保守テーブルは、適宜その内容が更新される。そして、エンジニアは、情報端末６から保守テーブルの内容を参照し、例えば、特定の職種の利用者に主に利用される画像処理装置２の効率的な保守計画策定の参考にする。
【００５４】
また、情報管理装置４は、障害発生比テーブルの内容に基づいて、職種ごとに、画像処理装置２を制御する制御パラメータのパラメータ値を決定し、記憶しておくこともできる。具体的には、ストレージ部４６に図１３に示す制御パラメータテーブルを記憶しておき、この制御パラメータテーブルを障害発生比テーブルの内容に基づいて更新する処理（制御パラメータテーブル更新処理）を実行する。制御パラメータテーブルとは、職種ごとに、各種制御パラメータのパラメータ値を関連付けて記憶するものである。具体的には、制御パラメータテーブルは、職種ごとに、予め定められた各種制御パラメータのパラメータ値を記憶する。以下、制御パラメータテーブル更新処理の一例について、図１４に示すフローチャート図を参照しながら説明する。
【００５５】
制御パラメータテーブル更新処理では、制御部４２は、制御パラメータテーブルを参照し、１つの職種（以下、注目職種）を選択する（Ｓ６０１）。
【００５６】
そして、制御部４２は、図１５のフローチャート図に示す処理を実行し、注目職種に対応する各種制御パラメータのパラメータ値を決定する（Ｓ６０２）。
【００５７】
すなわち、制御部４２は、１つの制御パラメータ（以下、注目パラメータ）を選択し（Ｓ７０１）、該注目パラメータのパラメータ値を決定するために着目する障害箇所を特定する（Ｓ７０２）。例えば、制御部４２は、各種制御パラメータとその制御パラメータのパラメータ値を決定するために着目する障害箇所とを関連付けて記憶する所定のテーブルを参照することにより特定する。
【００５８】
そして、制御部４２は、注目職種に対応する注目パラメータのパラメータ値を決定する（Ｓ７０３）。
【００５９】
具体的には、制御部４２は、障害発生比テーブルを参照し、注目職種とＳ７０２のステップで特定された障害箇所とに対応する障害発生比を取得する。また、制御部４２は、Ｓ７０２のステップで特定された障害箇所に対応する平均障害発生比を取得する。そして、制御部４２は、注目職種の利用者がＳ７０２のステップで特定された障害箇所に障害を発生させやすい場合、すなわち、該障害発生比を該平均障害発生比で除算してなる障害発生指数が１より大きい場合、注目パラメータについて予め定められた方策に従い、注目職種に対応する注目パラメータのパラメータ値を決定する。一方、障害発生指数が１以下である場合には、注目パラメータのデフォルト値を、注目職種に対応する注目パラメータのパラメータ値として決定する。
【００６０】
例えば、注目職種「デザイナー」に対応する注目パラメータ「ヒートローラ温度」のパラメータ値を決定する場合において、「ヒートローラ温度」のパラメータ値を決定するために着目する障害箇所として「ドラム」が特定されたものとする。この場合、制御部４２は、「デザイナー」と「ドラム」に対応する障害発生比（０．１）を取得する。また、制御部４２は、「ドラム」に対応する平均障害発生比（０．０９）を取得する。すると障害発生指数が１より大きいので（０．１÷０．０９＞１）、制御部４２は、注目パラメータ「ヒートローラ温度」について予め定められた方策として、デフォルト値の温度（２００Ｃ）を所定温度（４０Ｃ）だけ上げた値を、注目職種「デザイナー」に対応する注目パラメータ「ヒートローラ温度」のパラメータ値として決定する。なお、制御部４２は、現在の温度を所定温度だけ上げた値を、注目職種「デザイナー」に対応する注目パラメータ「ヒートローラ温度」のパラメータ値として決定するようにしてもよい。
【００６１】
Ｓ７０３のステップが完了すると、制御部４２は、注目職種に対応するすべての制御パラメータのパラメータ値が決定されたか否かを判断する（Ｓ７０４）。そして、注目職種に対応するすべての制御パラメータのパラメータ値が決定された場合（Ｓ７０４のＹＥＳ）、制御部４２は処理を終了する。一方、注目職種に対応する少なくとも１つの制御パラメータのパラメータ値が決定されていない場合（Ｓ７０４のＮＯ）、制御部４２は、未だパラメータ値が決定されていない１つの制御パラメータを選択し、Ｓ７０２のステップに戻る。以上のようにして、注目職種に対応する各種制御パラメータのパラメータ値を決定する。
【００６２】
注目職種に対応する各種制御パラメータのパラメータ値が決定されると、制御部４２は、制御パラメータテーブルに設定されているすべての職種について各種制御パラメータのパラメータ値が決定されたか否かを判断する（Ｓ６０３）。そして、制御部４２は、すべての職種について各制御パラメータのパラメータ値が決定された場合（Ｓ６０３のＹＥＳ）、決定されたパラメータ値で制御パラメータテーブルを更新する（Ｓ６０４）。一方、各制御パラメータのパラメータ値が少なくとも１つの職種について決定されていない場合（Ｓ６０３のＮＯ）、制御部４２は、未だ各制御パラメータのパラメータ値が決定されていない１つの職種を選択し、Ｓ６０２のステップに戻る。以上が、制御パラメータテーブル更新処理の内容である。この制御パラメータテーブル更新処理はいつ実行されるようにしてもよいが、図８に示すフローチャート図の処理の直後に実行されるのが好適である。
【００６３】
以上のように、制御パラメータテーブルも、保守テーブルと同様に適宜その内容が更新される。そして、エンジニアは、情報管理装置４にアクセスして制御パラメータテーブルの内容を参照し、例えば、特定の職種の利用者に主に利用される画像処理装置２の設置作業の際に、その画像処理装置２に設定すべきパラメータ値の指標を得る。
【００６４】
さらに、画像処理装置２自身も、自発的に情報管理装置４にアクセスして各種制御パラメータのパラメータ値を取得するとともにこれらのパラメータ値を設定する。具体的には、画像処理部２６が画像処理を実行した回数（以下、処理実行回数）をストレージ部２８に記憶しておくとともに、職種ごとに該職種の利用者の指示により画像処理部２６が画像処理を実行した回数（職種別処理実行回数）をストレージ部２８に記憶しておいた上で、図１６のフローチャート図に示すパラメータ値設定処理を実行する。以下、パラメータ値設定処理の一例について説明する。
【００６５】
すなわち、利用者が画像処理装置２に画像処理を実行させる場合において、制御部２２は、入力部３０から出力される情報を受け付けて利用者の認証を行う（Ｓ８０１）。そして、制御部２２は、利用者によって指示された画像処理を画像処理部２６に実行させる（Ｓ８０２）。そして、制御部２２は、画像処理部２６が画像処理を実行した回数を計数する（Ｓ８０３）。すなわち、制御部２２は、ストレージ部２８に記憶される処理実行回数を１だけインクリメントする。また、制御部２２は、ユーザプロファイルから利用者の職種を特定し、該職種の利用者を認証して画像処理が実行された回数を計数する（Ｓ８０４）。すなわち、制御部２２は、利用者の職種を特定し、該職種に対応する職種別処理実行回数を１だけインクリメントする。
【００６６】
そして、制御部２２は、処理実行回数が所定数以上であるか否かを判断する（Ｓ８０５）。そして、Ｓ８０５のステップにおいて、処理実行回数が所定数以上である場合（Ｓ８０５のＹＥＳ）、制御部２２は、画像処理装置２を最も多く利用する職種を特定する（Ｓ８０６）。すなわち、制御部２２は、ストレージ部２８に記憶される職種別処理実行回数が最も大きい職種を特定する。そして、制御部２２は、Ｓ８０６のステップで特定された職種に対応する各種制御パラメータのパラメータ値を情報管理装置４から取得する（Ｓ８０７）。例えば、制御部２２は、Ｓ８０６のステップで特定された職種に対応する各種制御パラメータのパラメータ値の送信要求を情報管理装置４に送信することにより、各パラメータ値を取得する。そして、制御部２２は、Ｓ８０７のステップで取得したパラメータ値を設定する（Ｓ８０８）。以上が、パラメータ値設定処理の内容である。
【００６７】
以上のように、画像処理装置管理システム１００では、情報管理装置４が、職種ごとに、該職種の利用者が画像処理装置２を利用した際の障害箇所ごとの障害発生回数を記憶する。また、画像処理装置管理システム１００では、情報管理装置４が、職種ごとに、障害箇所ごとの障害発生比を関連付けて記憶する。
【００６８】
また、画像処理装置管理システム１００では、情報管理装置４が、上述の障害発生比に基づき、職種ごとに、画像処理装置２に対して行う各保守項目の実行間隔を関連付けて記憶する。また、画像処理装置管理システム１００では、情報管理装置４が、上述の障害発生比に基づき、職種ごとに、画像処理装置２の各種制御パラメータのパラメータ値を関連付けて記憶する。
【００６９】
さらに、画像処理装置管理システム１００では、画像処理装置２が、該画像処理装置２を最も多く利用する職種を特定し、その職種に対応する各種制御パラメータのパラメータ値を情報管理装置４から取得して設定する。
【００７０】
なお、本発明は、上記実施の形態だけに適用されるものではない。
【００７１】
例えば、上記実施の形態では、障害発生回数、障害発生比、保守項目の実行間隔、制御パラメータのパラメータ値を、利用者の職種ごとに求めるようにしているが、利用者の居住地、利用者の属する年齢層、利用者の性別、利用者の勤務先業種、ごとに求めるようにしてもよい。
【００７２】
また、上記実施の形態では、障害発生回数を障害箇所ごとに求めるようにしているが、障害種別ごとに求めるようにしてもよい。そして、障害種別ごとに求められた障害発生回数に基づいて、保守項目の実行間隔、各種制御パラメータのパラメータ値を求めるようにしてもよい。
【００７３】
また、上記実施の形態では、情報管理装置４と情報端末６は別体となっているが、これらは一体であってもよい。
【００７４】
また、制御部２２及び制御部４２をここまで述べたように動作させるためのプログラムは、このプログラムを格納している情報記憶媒体（ＣＤ−ＲＯＭ、ＤＶＤ−ＲＯＭなど）から供給されるものであってもよいし、通信媒体（例えば、通信回線、通信システムのように、一時的または流動的にプログラムを保持する媒体）から供給されるものであってもよい。
【図面の簡単な説明】
【００７５】
【図１】本発明の実施形態に係る画像処理装置管理システムの構成図である。
【図２】本発明の実施形態に係る画像処理装置の構成図である。
【図３】本発明の実施形態に係る情報管理装置の構成図である。
【図４】本発明の実施形態に係る情報管理装置が保持する障害テーブルの一例である。
【図５】本発明の実施形態に係る画像処理装置で実行される処理の一例である。
【図６】本発明の実施形態に係る情報管理装置で実行される処理の一例である。
【図７】本発明の実施形態に係る情報管理装置が保持する障害発生比テーブルの一例である。
【図８】本発明の実施形態に係る情報管理装置で実行される処理の一例である。
【図９】情報端末に表示されるグラフの一例である。
【図１０】本発明の実施形態に係る情報管理装置が保持する保守テーブルの一例であ
【図１１】本発明の実施形態に係る情報管理装置で実行される保守テーブル更新処理の一例である。
【図１２】保守テーブル更新処理で実行されるルーチンの一例である。
【図１３】本発明の実施形態に係る情報管理装置が保持する制御パラメータテーブルの一例である。
【図１４】本発明の実施形態に係る情報管理装置で実行される制御パラメータテーブル更新処理の一例である。
【図１５】制御パラメータテーブル更新処理で実行されるルーチンの一例である。
【図１６】本発明の実施形態に係る画像処理装置で実行されるパラメータ値設定処理の一例である。
【符号の説明】
【００７６】
２  画像処理装置、４  情報管理装置、６  情報端末、２２  制御部、２４  記憶部、２６  画像処理部、２８  ストレージ部、３０  入力部、３２  通信部、４２  制御部、４４  記憶部、４６  ストレージ部、４８  通信部、１００  画像処理装置管理システム。
【図１】
2008176454.tif 000003
【図２】
2008176454.tif 000004
【図３】
2008176454.tif 000005
【図４】
2008176454.tif 000006
【図５】
2008176454.tif 000007
【図６】
2008176454.tif 000008
【図７】
2008176454.tif 000009
【図８】
2008176454.tif 000010
【図９】
2008176454.tif 000011
【図１０】
2008176454.tif 000012
【図１１】
2008176454.tif 000013
【図１２】
2008176454.tif 000014
【図１３】
2008176454.tif 000015
【図１４】
2008176454.tif 000016
【図１５】
2008176454.tif 000017
【図１６】
2008176454.tif 000018